(57)【要約】  本発明は、20〜80℃なる範囲の、LCSTと呼ばれる、水中での臨界溶液温度を持つポリエーテルアミン類から選択されるポリマーを含有する組成物の、凍結防止剤としての使用、および更には20〜80℃なる範囲の水中での臨界溶液温度を持つポリマーを含む組成物、特に冷却液型の組成物に関するものである。【選択図】  なし【特許請求の範囲】
【請求項１】
20〜80℃なる範囲の、LCSTと呼ばれる下部臨界溶液温度を呈するポリエーテルアミンから選択される少なくとも1種のポリマーを含む組成物の、凍結防止剤としての使用。
【請求項２】
前記ポリマーが、25〜50℃なる範囲、好ましくは30〜45℃なる範囲、実際には更に30〜40℃なる範囲の、LCSTと呼ばれる下部臨界溶液温度を呈する、請求項1記載の使用。
【請求項３】
前記ポリマーが、O-(2-アミノプロピル)-O'-(2-メトキシエチル)ポリプロピレングリコールである、請求項1または2に記載の使用。
【請求項４】
前記組成物が、単位体積質量で20〜50％なる範囲の量の前記ポリマーを含む、請求項1〜3の何れか1項に記載の使用。
【請求項５】
前記組成物が、更にアルコールをも含む、請求項1〜4の何れか1項に記載の使用。
【請求項６】
前記アルコールがグリコールであり、かつ好ましくはエチレングリコールおよびプロピレングリコールから選択される、請求項5記載の使用。
【請求項７】
前記組成物が水性組成物である、請求項1〜6の何れか1項に記載の使用。
【請求項８】
特に、自動車、エレクトロニクスまたは電気工学分野における使用に供せられる、冷却液の形状にある、請求項1〜7の何れか1項に記載の使用。
【請求項９】
単位体積質量で20〜50％なる範囲の量の、20〜80℃なる範囲のLCSTと呼ばれる下部臨界溶液温度を呈する少なくとも1種のポリマーおよび少なくとも1種のアルコールを含むことを特徴とする、凍結防止剤として使用するための水性組成物。
【請求項１０】
前記ポリマーが、請求項2において定義された如きポリマーである、請求項9記載の組成物。
【請求項１１】
前記ポリマーが、ポリエーテルアミン、ポリ(N-イソプロピルアクリルアミド)、ポリビニルカプロラクタム、ポリ(ビニルメチルエーテル)、ポリオキサゾリンおよびヒドロキシアルキルセルロース、並びにこれらのコポリマーから選択される、請求項9および10の何れか1項に記載の組成物。
【請求項１２】
前記ポリマーが、ポリエーテルアミンから選択される、請求項9〜11の何れか1項に記載の組成物。
【請求項１３】
前記ポリマーが、請求項3において定義された如きポリマーである、請求項9〜12の何れか1項に記載の組成物。
【請求項１４】
前記アルコールがグリコールであり、かつ好ましくはエチレングリコールおよびプロピレングリコールから選択される、請求項9〜13の何れか1項に記載の組成物。
【請求項１５】
前記ポリマーおよび前記アルコールが、0.1に等しいかこれを越え、より特定的には0.3〜3なる範囲で変動し、また好ましくは1に等しい、ポリマー/アルコール体積比にて存在する、請求項9〜14の何れか1項に記載の組成物。
【請求項１６】
前記組成物が、付随的に、消泡剤、着色剤、殺生物剤、緩衝剤および腐食抑制剤から選択される、少なくとも1種の添加剤をも含む、請求項9〜15の何れか1項に記載の組成物。
【請求項１７】
前記組成物が、使用に先立って、水による希釈処理に付される、請求項9〜16の何れか1項に記載の組成物。
【発明の詳細な説明】
【技術分野】
【０００１】
本発明は、20〜80℃なる範囲のLCST(下部臨界溶液温度（Lower Critical Solution Temperature）)を呈する少なくとも1種のポリマーを含む組成物の、凍結防止剤としての使用に関するものである。
本発明の技術分野は、より詳しくは、冷却液型の組成物用凍結防止性添加剤の分野およびとりわけ自動車、エレクトロニクスまたは電気工学分野において使用するための凍結防止性添加剤の分野に係る。
【背景技術】
【０００２】
自動車の冷却用途に関連して、使用される流体は、典型的に60体積％の水と、40体積％のグリコールとの混合物である。
水中におけるグリコール、例えばエチレングリコールまたはプロピレングリコールの存在は、低温にて保存する際の、冷却流体の凍結の防止を可能とする。これらのグリコールは、またこれら冷却液体と接触した際に、交換器の壁を腐食に対して保護する効果をも持つであろう。
しかし、水中におけるグリコールの存在は、その使用によって得られた新規な流体の熱伝導率を著しく低下するという、主たる欠点を有している。というのは、熱伝導率が、蒸留水に対しては0.608 W.m-1.K-1であり、またグリコールに対しては0.208 W.m-1.K-1であることから、60体積％の水と、40体積％のエチレングリコールとの混合物の熱伝導率は僅かに0.40 W.m-1.K-1であり、即ち水の熱伝導率の約30％だけ低い値となるからである。
【０００３】
実際のところ、流体の熱伝導率が高ければ高いほど、該流体は、一定流量において、より迅速に熱を「交換」することができる。
従って、流体の熱伝導性能は、冷却液タンクの体積に対して、特にその重量または占有空間(場所)、更にまたさほど強力とは言えない(全体としてのエネルギー収支)再循環ポンプに対して、直接的に影響を与えることとなる。
結局、凍結防止性添加剤としてのグリコールの使用は、前記再循環ポンプの電力消費量における、あるいはプラントの寸法決定における追加のコストが発生するという、主たる欠点を持ち、これに加えて該設備の重量および嵩の問題が加わる。
それ故に、現在に至るまで、水の熱伝導率とできる限り近い熱伝導率を持った状態で存在する流体の低温流動性の維持を保証し得る、凍結防止性添加剤に対する、絶えることのない需要がある。
【発明の概要】
【発明が解決しようとする課題】
【０００４】
本発明の特定の一目的は、この要求を満たすことにある。
【課題を解決するための手段】
【０００５】
従って、本発明の局面の一つによれば、本発明は、20〜80℃なる範囲の、LCSTと呼ばれる下部臨界溶液温度を呈する少なくとも1種のポリマーを含む組成物の、凍結防止剤としての使用に係る。
より詳しくは、本発明は、20〜80℃なる範囲の、LCSTと呼ばれる下部臨界溶液温度を呈するポリエーテルアミンから選択される少なくとも1種のポリマーを含む組成物の、凍結防止剤としての使用に係る。
もう一つの態様によれば、本発明に従って考察している前記ポリマーは、水性組成物中で使用される。
従って、本発明に従って考察している前記LCSTポリマーは、可逆的な(親水性/疎水性)相変化メカニズムにより、該流体の温度を20℃よりも高く加熱することを開始するときに（when the temperature of the liquid begins to heat above 20℃）、水から分離し、結果として疎水性粒子のコロイド状ゾルを生成するポリマーである。この相変化温度が、LCST(下部臨界溶液温度)と呼ばれる。
【０００６】
予想外のことに、本発明者等は、このようなポリマー、即ち温度の上昇に応答して可逆的な親水性/疎水性相変化を行うことのできるポリマーの、凍結防止の目的での使用によって、従来のグリコール型凍結防止剤について観測される、熱伝導率における前記顕著な低下が回避し得ることを見出した。
より詳しくは、20℃以下において、前記ポリマーは、極めて高い水に対するアフィニティーを示し、この高いアフィニティーにより該ポリマーは完全に溶解性となり、しかも該温度以上において、相分離が見られる。
この2-相媒体生成の直接的な結果は、前記混合物における水の体積基準での濃度におけるおよび結果としての該混合物の熱伝導率における顕著な増加であり、従って該混合物の熱伝導率は、見掛け上蒸留水の熱伝導率と等しくなる。この同一の水性流体の冷却中に、およびより特定的には前記コロイド状懸濁液温度を20℃以下に調節する際に、該系は再度単一相となる。
【０００７】
以下において与えられ、またLCSTを呈する化合物を含有する水性組成物に関連して、該組成物の温度が該LCSTを越えた場合に、その測定された熱伝導率が著しく増大することを示す実施例において、前記現象はより詳細に説明される。例えば、32℃なるLCSTを呈するポリエーテルアミン等のポリマーを含有する水性組成物は、45℃において、60％のH2Oおよび40％のプロピレングリコールを含む混合物に対して、16％だけ高い熱伝導率を示す。
更に、凍結防止性添加剤としての本発明によるポリマーの使用は、粘度に関して付随的な利点を持つ。
有機化合物の添加が、常に粘度における増加をもたらすことは、公知である。この粘度における増加は、添加された該化合物のモル質量およびその体積百分率に比例する。このことは、該流体のニュートン粘性挙動を反映している。前記温度における増加は、該粘度の直線的な低下をもたらす。
【０００８】
実際のところ、LCSTを持つポリマーは、前記親水性/疎水性転移温度以上およびそれ以下において、同一のレオロジー挙動を示さないという際立った特徴を持つ。
前記転移温度以下において、該ポリマーはニュートン粘性挙動を示し、一方で該転移温度以上において、該ポリマーは、粘度における低下を伴った、非-ニュートン粘性挙動を示す。
前記流体に対して可能な最低の粘度を維持することが、常にエネルギー的に著しく有利である限りにおいて、LCSTポリマー等の感熱性添加剤の、水性組成物における使用も、結局のところ有利である。
本発明のもう一つの局面によれば、本発明は、凍結防止剤として使用される、20〜80℃なる範囲の、LCSTと呼ばれる下部臨界溶液温度を呈する少なくとも1種のポリマーおよび少なくとも1種のアルコールを含有する水性組成物に関連する。
【０００９】
好ましい一形態によれば、このような組成物は、使用に先立って水による希釈処理に付される。
より詳しくは、本発明は、凍結防止剤として使用される、単位体積質量で(by volume weight)20〜50％なる範囲の量の、20〜80℃なる範囲のLCSTと呼ばれる下部臨界溶液温度を呈する少なくとも1種のポリマーおよび少なくとも1種のアルコールを含む水性組成物に関する。
好ましい一形態によれば、本発明は、上で定義した如き水性組成物に関連し、該組成物において、前記ポリマーは、25〜50℃なる範囲、好ましくは30〜45℃なる範囲、実際には更に30〜40℃なる範囲の、LCSTと呼ばれる下部臨界溶液温度を呈する。
好ましくは、本発明は、上で定義した如き水性組成物に関連し、該組成物において前記ポリマーは、ポリエーテルアミン、ポリ(N-イソプロピルアクリルアミド)、ポリビニルカプロラクタム、ポリ(ビニルメチルエーテル)、ポリオキサゾリンおよびヒドロキシアルキルセルロース、並びにこれらのコポリマーから選択される。
【００１０】
特に、本発明は、凍結防止剤として使用される、単位体積質量で20〜50％なる範囲の量の、ポリエーテルアミン類から選択される少なくとも1種のポリマーおよび少なくとも1種のアルコールを含む、水性組成物に関する。
好ましくは、本発明は、上で定義した如き水性組成物に関連し、該組成物において、前記ポリマーは、O-(2-アミノプロピル)-O'-(2-メトキシエチル)ポリプロピレングリコールである。
【図面の簡単な説明】
【００１１】
【図１】実施例の組成物4〜8の、温度の関数としての粘度を表す曲線である。
【発明を実施するための形態】
【００１２】
20〜80℃なる範囲の、LCSTと呼ばれる下部臨界溶液温度を呈するポリマー
上で述べた如く、本発明による組成物は、20〜80℃なる範囲の、LCSTと呼ばれる下部臨界溶液温度を呈する、少なくとも1種のポリマーを含む。
「下部臨界溶液温度(lower critical solution temperature)」または「LCST」とは、臨界温度を意味するものと理解され、該温度以上において、前記ポリマーが、その水に対する溶解性を失い、また該温度以下において、該ポリマーは水に対して溶解性となる。本発明によれば、この過程は可逆的である。
より詳しくは、本発明との関連で使用される前記ポリマーは、25〜50℃なる範囲、好ましくは30〜45℃なる範囲、実際には更に30〜40℃なる範囲の、LCSTと呼ばれる下部臨界溶液温度を呈する。
【００１３】
水性媒体中での前記ポリマーの使用温度に従って変動するその能力の観点から、本発明による考察中の該ポリマーは、架橋されていない。
有利には、20〜80℃なる範囲の、LCSTと呼ばれる下部臨界溶液温度を呈する前記ポリマーは、以下に列挙するポリマーから選択することができる：
・ポリエーテルアミン；
・ポリ(N-イソプロピルアクリルアミド)；
・ポリビニルカプロラクタム；
・ポリ(ビニルメチルエーテル)；
・ポリオキサゾリン；
・ヒドロキシアルキルセルロース；
【００１４】
・少なくとも一つのエーテル基を含むモノマーの、架橋されていないホモポリマーまたはコポリマー、例えばポリ(エチレンオキサイド)；
・少なくとも一つのアルコール基を含むモノマーの、架橋されていないホモポリマーまたはコポリマー、例えばポリ(ヒドロキシアルキルアクリレート)；
・ポリビニルアルコールおよびその誘導体；
・ポリ(ジメチルアミノエチルメタクリレート)；および
・これらのコポリマー。
【００１５】
極めて格別に本発明にとって適したものは、ポリエーテルアミン、ポリ(N-イソプロピルアクリルアミド)、ポリビニルカプロラクタム、ポリ(ビニルメチルエーテル)、ポリオキサゾリンおよびヒドロキシアルキルセルロース、並びにこれらのコポリマーである。
より特定的に、本発明にとって適したポリエーテルアミンおよびそのコポリマーとしては、モノアミンポリエーテルアミンおよびより特定的には32℃なるLCSTを呈する、O-(2-アミノプロピル)-O'-(2-メトキシエチル)ポリプロピレングリコールを挙げることができる。
極めて格別に本発明にとって適したポリエーテルアミンとしては、例えばハンツマン(Huntsman)社によって、ジェファミン(Jeffamine（登録商標）) M-600（登録商標）またはXTJ-505（登録商標）、ジェファミン(Jeffamine（登録商標）) M-1000（登録商標）またはXTJ-506（登録商標）、ジェファミン(Jeffamine（登録商標）) M-2005 （登録商標）およびジェファミン(Jeffamine（登録商標）) M-2070（登録商標）なる名称の下で販売されているものを使用することができる。
【００１６】
より詳しくは、本発明にとって適したポリ(N-イソプロピルアクリルアミド)およびそのコポリマーとしては、特に200を越えかつ50,000未満の分子量を示すもの、例えば、アミド基を含むモノマーの架橋されていないホモポリマーまたはコポリマー、例えばポリ(N-置換アクリルアミド)、ポリ(N-イソプロピルアクリルアミド)ホモポリマー、N-イソプロピルアクリルアミドとC1-C18(メタ)アクリレート(例えば、ブチルアクリレート)とのコポリマーおよびN-イソプロピルアクリルアミドとメタクリル酸とのコポリマーを挙げることができる。
より詳しくは、本発明にとって適しているポリオキサゾリンおよびそのコポリマーとしては、200を越えかつ50,000未満の分子量を持つポリ(N-アルキルオキサゾリン)、例えばN-エチル/N-プロピルまたはN-イソプロピルコポリマーを挙げることができる。
【００１７】
より詳しくは、本発明にとって適したヒドロキシアルキルセルロースおよびそのコポリマーとしては、ヒドロキシプロピルメチルセルロース、エチルヒドロキシエチルセルロース、ヒドロキシエチルセルロース、ヒドロキシプロピルセルロースおよびメチルセルロースを挙げることができる。
もう一つの態様によれば、前記ポリマーは、ポリ(N-置換アクリルアミド)、ポリ(N-イソプロピルアクリルアミド)ホモポリマー、N-イソプロピルアクリルアミドとC1-C18(メタ)アクリレート(例えば、ブチルアクリレート)とのコポリマー、N-イソプロピルアクリルアミドとメタクリル酸とのコポリマー、およびO-(2-アミノプロピル)-O’-(2-メトキシエチル)ポリプロピレングリコールから選択される。
好ましくは、前記ポリマーはポリエーテルアミン類から選択される。
特に、前記ポリマーは、O-(2-アミノプロピル)-O’-(2-メトキシエチル)ポリプロピレングリコールである。
【００１８】
このポリエーテルアミンは、特にハンツマン(Huntsman)社によって、ジェファミン(Jeffamine（登録商標）) M-600（登録商標）またはXTJ-505（登録商標）なる名称の下で販売されている。
好ましい一態様によれば、本発明による組成物は、水性組成物であり、また単位体積質量で20〜50％なる範囲の量の、20〜80℃なる範囲のLCSTと呼ばれる下部臨界溶液温度を呈するポリマーを含む。
既に述べた如く、20〜80℃なる範囲のLCSTを呈する化合物を含有する前記水性組成物について測定された熱伝導率は、該LCST以上に著しく増大する。
前記熱伝導率は、F5テック(F5Tech)社により市販されているラムダ1(Lambda 1（登録商標）)装置を用いた、熱フィラメント(hot filament)技術によって測定される。
20〜80℃なる範囲のLCSTを呈する前記ポリマーは、そのまま凍結防止性添加剤として、あるいは従来の凍結防止性添加剤、例えば以下において定義されるようなアルコール、およびより特定的にはグリコールとの組合せとして使用される。
【００１９】
アルコール
上において指定した如く、本発明に従うポリマーの使用は、従来の添加剤との同時の使用を排除するものではない。
即ち、本発明は、また凍結防止剤として使用される水性組成物を提供することをも目的としており、該水性組成物は、20〜80℃なる範囲の、LCSTと呼ばれる下部臨界溶液温度を呈する少なくとも1種のポリマーおよび少なくとも1種のアルコールを含む。
しかし、前記添加剤並びにその量は、LCSTを呈する前記ポリマーによって与えられた熱導電率における増加に対して、少なくとも有意に影響を及ぼさないように選択され調節される。
極めて特定的に、これらの添加剤の代表例として、アルコールを挙げることができる。
とりわけ、アルコールとしては、一級アルコールおよび多価アルコールを挙げることができる。
【００２０】
とりわけ、本発明にとって適した前記一級アルコールの代表例としては、メチルアルコール、エチルアルコール、プロピルアルコール、イソプロピルアルコールおよびこれらの混合物から選択されるアルコールを挙げることができる。
特に、本発明にとって極めて格別に適した多価アルコールとしては、グリコールを挙げることができる。
「グリコール」とは、本発明の目的の範囲内において、少なくとも2つの遊離ヒドロキシル基を含む任意の有機分子を意味するものと理解すべきである。
本発明にとって適したグリコールは、そのアルキル鎖上に、少なくとも2つの-OH官能基を、特に少なくとも3つの-OH官能基を保持する、飽和または不飽和の、かつ直鎖、分岐鎖または環状のアルキル型化合物であり得る。
本発明による組成物の処方にとって都合のよい適切な前記グリコールは、特に2〜16個の炭素原子、好ましくは2〜4個の炭素原子を備えているグリコールである。
【００２１】
有利には、前記グリコールは、例えば、エチレングリコール、ジエチレングリコール、プロピレングリコール、ジプロピレングリコール、1,3-プロパンジオール、ポリエチレングリコール、ブチレングリコール、イソプレングリコール、ペンチレングリコール、ヘキシレングリコール、グリセリルトリアセテートおよびこれらの混合物から選択することができる。
好ましい一態様によれば、前記アルコールはグリコールである。
特に、前記グリコールは、エチレングリコール、ジエチレングリコール、プロピレングリコール、ジプロピレングリコールおよびこれらの混合物から選択される。
好ましくは、前記グリコールは、エチレングリコールおよびプロピレングリコールから選択される。
より詳しくは、本発明の組成物において、前記ポリマーおよび前記アルコール、より特定的に前記グリコールは、0.1に等しいかまたはこれを越え、より特定的には0.3〜3なる範囲で変動し、および好ましくは1に等しい、体積基準でのポリマー/アルコール比にて存在する。
勿論、本発明に従うここで考察中の組成物は、更に1種またはそれ以上の添加剤を含むことが有利である。
【００２２】
添加剤
上において明確に述べた如く、本発明による組成物は、更に、通常凍結防止性添加剤と共に使用される、任意の添加剤をも含むことができる。
また、この追加の添加剤の選択は、これを添加しようとする前記流体の特性のみならず実際にはこの流体の適用分野によっても、条件付けられる可能性がある。
一般に、この追加の添加剤は、特に、消泡剤、着色剤、殺生物剤、緩衝剤、腐食抑制剤およびこれらの混合物から選択することができる。
消泡剤の例示としては、特にポリシロキサン、オキシアルキル化ポリシロキサンおよび植物または動物油由来の脂肪酸のアミドを挙げることができる。
腐食抑制剤の例示としては、特に、アミン、サクシンイミド、アルケニルサクシンイミド、ポリアルキルアミン、ポリエーテルアミンおよびポリアルキルポリアミンからなる群から選択されるものを挙げることができる。これらは、またアルカリ金属塩、例えばアルカリ金属ニトレート、カーボネートまたはシリケート（alkali metal salts of nitrates, of carbonates or of silicates）であり得る。
殺生物剤の例示としては、特に、静菌剤および/または殺菌剤または静真菌剤および/または抗-真菌剤を挙げることができる。
勿論、当業者は、前記随意の付随的な成分および/またはその量を選択するために、本発明による組成物の前記有利な諸特性が、該意図されたその添加により影響されず、あるいは実質的に不利に影響されないように、注意を払うであろう。
【実施例】
【００２３】
以下、本発明を、例示的な目的で、かつ非-限定的な目的で与えられる以下の実施例により、更に詳細に例証する。
実施例中の百分率は、体積百分率である。
以下の実施例において、体積百分率は、前記組成物の全質量に対する値として示されている。
実施例1：熱伝導率に関する、本発明のLCSTポリマーの効果
使用したLCSTポリマーは、ハンツマン(Huntsman)社によって、ジェファミン(Jeffamine（登録商標）) M-600（登録商標）なる名称のもとで販売されており、32℃なるLCSTを呈するO-(2-アミノプロピル)-O’-(2-メトキシエチル)ポリプロピレングリコールである。
グリコールの存在下または不在下にて、様々な濃度のこのポリマーから出発して、種々の水性組成物を製造した。
【００２４】
使用する前記グリコールは、アルドリッチ(Aldrich)社およびフルカ(Fluka)社により市販されている、エチレングリコールおよびプロピレングリコールである。
前記グリコールの一つを含むコントロール組成物、即ちLCSTポリマーを含まない組成物をも、同時に製造した。
テストされる前記各組成物は、夫々、ジュラボ(Julabo)サーモ-クライオスタットに接続された、ジャケット付き反応器内で、25℃なる温度、次いで45℃なる温度とされ、その熱伝導率が、これら2つの温度各々において評価される。
前記熱伝導率は、F5テクノロジー(F5 Technology)社により市販されているラムダシステム1(Lambda System 1（登録商標）)装置で、熱フィラメント技術により測定される。
製造された種々の処方を持つ前記組成物を、以下の表に報告するが、以下の表は、熱伝導率における変化をも温度の関数として示している。
【００２５】
【表１】
2014514406.tif 000002
【００２６】
温度に伴う前記コントロール組成物の熱伝導率の増加は極めて低いのみならず、実際には何ら増加しないことを観測することができる。
他方において、本発明による組成物に対して測定された熱伝導率は、温度の関数として大幅に変動する。
従って、20体積％なるジェファミンM-600（登録商標）の添加は、45℃において、60％のH2Oと40％プロピレングリコールとの混合物に対して、16％だけ大きな熱伝導率を示す。
【００２７】
実施例2：レオロジー挙動に関する、本発明によるLCSTポリマーの効果
実施例1の組成物4〜6並びに以下のような2つの組成物を、そのレオロジー性能について、温度の関数としてテストした：
・本発明による組成物7：60％のH2O、30％のエチレングリコールおよび10％のジェファミン(Jeffamine（登録商標）) M-600（登録商標）(H2O-EG-Jeff 60-30-10)；
・本発明による組成物8：60％のH2O、20％のプロピレングリコールおよび20％のジェファミン(Jeffamine（登録商標）) M-600（登録商標）(H2O-Jeff-PG 60-20-20)。
これら組成物4〜8の、温度の関数としての粘度を表す曲線を、図1に示す。
これら組成物は、その中の考察中の前記ポリマーの親水性/疎水性転移温度の上下において、最早同一のレオロジー挙動を示すことはない。
温度における上昇に伴う前記粘度の低下が、認められる。
【図１】
2014514406.tif 000003
【手続補正書】
【提出日】平成25年12月18日(2013.12.18)
【手続補正１】
【補正対象書類名】特許請求の範囲
【補正対象項目名】全文
【補正方法】変更
【補正の内容】
【特許請求の範囲】
【請求項１】
20〜80℃なる範囲の、LCSTと呼ばれる下部臨界溶液温度を呈するポリエーテルアミンから選択される少なくとも1種のポリマーを含む組成物の、凍結防止剤としての使用。
【請求項２】
前記ポリマーが、25〜50℃なる範囲の、LCSTと呼ばれる下部臨界溶液温度を呈する、請求項1記載の使用。
【請求項３】
前記ポリマーが、O-(2-アミノプロピル)-O'-(2-メトキシエチル)ポリプロピレングリコールである、請求項1または2に記載の使用。
【請求項４】
前記組成物が、単位体積質量で20〜50％なる範囲の量の前記ポリマーを含む、請求項1〜3の何れか1項に記載の使用。
【請求項５】
前記組成物が、更にアルコールをも含む、請求項1〜4の何れか1項に記載の使用。
【請求項６】
前記アルコールがグリコールである、請求項5記載の使用。
【請求項７】
前記組成物が水性組成物である、請求項1〜6の何れか1項に記載の使用。
【請求項８】
自動車、エレクトロニクスまたは電気工学分野における使用に供せられる、冷却液の形状にある、請求項1〜7の何れか1項に記載の使用。
【請求項９】
単位体積質量で20〜50％なる範囲の量の、20〜80℃なる範囲のLCSTと呼ばれる下部臨界溶液温度を呈する少なくとも1種のポリマーおよび少なくとも1種のアルコールを含むことを特徴とする、凍結防止剤として使用するための水性組成物。
【請求項１０】
前記ポリマーが、請求項2において定義された如きポリマーである、請求項9記載の組成物。
【請求項１１】
前記ポリマーが、ポリエーテルアミン、ポリ(N-イソプロピルアクリルアミド)、ポリビニルカプロラクタム、ポリ(ビニルメチルエーテル)、ポリオキサゾリンおよびヒドロキシアルキルセルロース、並びにこれらのコポリマーから選択される、請求項9および10の何れか1項に記載の組成物。
【請求項１２】
前記ポリマーが、ポリエーテルアミンから選択される、請求項9〜11の何れか1項に記載の組成物。
【請求項１３】
前記ポリマーが、請求項3において定義された如きポリマーである、請求項9〜12の何れか1項に記載の組成物。
【請求項１４】
前記アルコールがグリコールである、請求項9〜13の何れか1項に記載の組成物。
【請求項１５】
前記ポリマーおよび前記アルコールが、0.1に等しいかこれを越える、ポリマー/アルコール体積比にて存在する、請求項9〜14の何れか1項に記載の組成物。
【請求項１６】
前記組成物が、付随的に、消泡剤、着色剤、殺生物剤、緩衝剤および腐食抑制剤から選択される、少なくとも1種の添加剤をも含む、請求項9〜15の何れか1項に記載の組成物。
【請求項１７】
前記組成物が、使用に先立って、水による希釈処理に付される、請求項9〜16の何れか1項に記載の組成物。
【国際調査報告】
2014514406.tif 000004
2014514406.tif 000005
2014514406.tif 000006
2014514406.tif 000007
2014514406.tif 000008
2014514406.tif 000009